【事件の表示】
　平成４年特許願第１２９９４３号「プッシュリベット」拒絶査定不服審判事件〔平成５年１１月１６日出願公開、特開平５−３０２６０９号〕について、次のとおり審決する。
【結　論】
　本件審判の請求は、成り立たない。
【理　由】
【一】手続の経緯・本件出願の発明
　本件出願は、平成４年４月２３日に出願された特許出願であって、その請求項１〜３に係る発明は、平成１４年２月１５日付け手続補正により補正された明細書及び図面の記載からみて、その特許請求の範囲の請求項１〜３に記載された次のとおりのものと認める。
　
「【請求項１】　フランジ部にピン挿通孔を穿設すると共に、このフランジ部下面に脚部を突設し、この脚部に上記ピン挿通孔と連通してピン進入孔を形成すると共に、このピン進入孔から脚部外周面に至る略十字状のスリットを形成して該脚部を四分割し、かつ各分割脚部の先端部内面に先端に向かうに従って漸次内方に傾斜するテーパー面を有する膨出部を突設し、更にこの４つの各分割脚部先端よりそれぞれ独立した連結片を延出形成すると共に、これら４つの連結片の先端部を連結してなり、
被固定物に形成した取付穴に上記脚部を挿入し、上記ピン進入孔内にピンの軸部を上記ピン挿通孔から圧入して、該軸部で上記各分割脚部の膨出部を外側に押圧し、各分割脚部をそれぞれ外側に広げて脚部の先端側を拡径させ、この脚部で上記取付穴を押圧して被固定物に固定するように構成したことを特徴とするプッシュリベット。
　【請求項２】　フランジ部にピン挿通孔を穿設すると共に、このフランジ部下面に脚部を突設し、この脚部に上記ピン挿通孔と連通してピン進入孔を形成すると共に、このピン進入孔から脚部外周面に至る略十字状のスリットを形成して該脚部を四分割し、かつ各分割脚部の先端部内面に先端に向かうに従って漸次内方に傾斜するテーパー面を有する係止突起を突設し、更にこの４つの各分割脚部先端よりそれぞれ独立した連結片を延出形成すると共に、これら４つの連結片の先端部を連結してなるリベット本体と、
円盤状頭部の下面に軸部を突設し、この軸部先端部に上部がテーパー面になった深凹部を周方向に沿って形成すると共に、この深凹部の上方に存して浅凹部を周方向に沿って形成してなるピンとを有し、
このピンの軸部を上記リベット本体のピン進入孔内に上記ピン挿通孔を通して挿入し、該軸部の上記深凹部内にリベット本体の上記各係止突起を係合させることにより、上記リベット本体に上記ピンを取り付けてなり、
被固定物に形成した取付穴に上記脚部を挿入して上記ピンの頭部を押圧することにより、ピンの軸部がピン進入孔内を進入して各分割脚部先端の係止突起が軸部の深凹部のテーパー面により外側に押圧され、各分割脚部がそれぞれ外側に広がって脚部の先端側が拡径し、各分割脚部の係止突起がピン軸部の浅凹部内に係合して脚部の拡径状態が保持されることにより、この脚部で上記取付穴を押圧して被固定物に固定するように構成したことを特徴とするプッシュリベット。
　【請求項３】　ピンの頭部下面に複数の引き上げ突起を形成し、かつ軸部の浅凹部を幅方向両端部をテーパー状に形成した４つの浅凹部とすると共に、互いに隣合う浅凹部間に平坦部を設け、
またリベット本体のフランジ部上面側にピン挿通孔周縁部に沿って一端側がテーパー状に形成された押し上げ突起を突設して、
ピンを最深部まで押し込んでリベット本体の脚部を拡径させた状態でピンを回動させることにより、リベット本体のピン挿入孔内でピン軸部が回動して各分割脚部の係止突起が上記各浅凹部から上記平坦部に移動すると共に、上記押し上げ突起が上記引き上げ突起を押し上げてピンの軸部が引き上げられ、更に軸部が引き上げられながら回動することにより、各分割脚部の係止突起が軸部の深凹部に移動して脚部の拡径状態が解除されるように構成した請求項２記載のプッシュリベット。」
　
【二】引用例に記載された事項
　これに対して、原査定の拒絶の理由となった平成１２年９月７日付けで通知された拒絶理由に引用され、本件出願前に頒布された刊行物である「実願昭５８−１３４１３３号（実開昭６０−４０８１２号）のマイクロフィルム」（以下、「刊行物１」という。）及び「実願昭６３−６２２４７号（実開平１−１６５８１０号）のマイクロフィルム」（以下、「刊行物２」という。）には、それぞれ、以下の事項が記載されていると認められる。
　
　(1)刊行物１
　〔あ〕「本考案は連結具、特に複数の被取付板を穿設穴を介して固定するときに使用して有用な連結具に関する。」（明細書２頁５〜７行参照）
　〔い〕「第３図は、本考案になる連結具の一実施例を示すもので同図ａでピン３０を同図ｂで受部４０をそれぞれ斜視図で示した。
　いずれも樹脂材料で成形されるものでピン３０は円板状頭部３１を具備し該円板状頭部３１より延出した円柱体形状より成る嵌着体３２と該嵌着体３２に連設した小径のガイド部３３と、該ガイド部３３を介して軸線上に形成された調整部３４とから成つている。」（明細書３頁２０行〜４頁８行参照）
　〔う〕「受部４０はピン３０の具備する円板状頭部３１が丁度脱着挿入できるだけの陥没部４２を有する大径のフランジ４１と、該フランジ４１の裏面より分枝して延出しヒンジ部４４、４４を介して変動自在の案内部４５を合致部４６により合体させることにより一体化した脚体部４３を具備し、該脚体部４３の内体には陥没部４２の中心部にピン３０の嵌着体３２が挿着できる内径と長さと同一寸法の円孔４７が形成されている。
　そして該円孔４７と連続して内孔方向に突出した膨出部５１、５１が構成されている。
　更に、フランジ４１には脚体部４３の割溝５０と同一軸位置の個所に嵌着体３２の具備する嵌入板３５が自在に脱着できる同一寸法のスライド孔４９が相対して穿設されている。」（明細書４頁１８行〜５頁１３行参照）
　〔え〕「第４図は本連結具の作用を示す状態図で、中心線Ｘ−Ｘを軸に左側Ａは仮止めの状態を示す一部断面図、右側Ｂは本止めを示す一部断面図である。」（明細書５頁１８行〜６頁１行参照）
　〔お〕「即ち、ピン３０は嵌入板３５、３５が受部４０の具備するスライド孔４９、４９に合致しない個所をもつて押圧挿入すれば、図Ａの如く下段に形成されている溝帯３６に突起４８が嵌入し、同時に嵌着体３２の先端に具備している調整部３４が円孔４７内に抵抗的に突出している膨出部５１に当接しこれ以上の挿入を阻止する。
　これによつて、脚体部４３は外方に拡大せず、しかもピン３０と受部４０は一体化し、被取付板の穿設孔に挿着した場合でもピン３０だけが分離することはなく、しかも受部４０のフランジ４１表面よりもピン３０の円板状頭部３１が突出しているので、仮止め状態を見定めることができる。」（明細書６頁２〜１５行参照）
　〔か〕「次いで図Ｂの如く円板状頭部３１を更に押圧すれば突起４８は嵌着体３２の表面を乗り超えて上段の溝帯３６に挿入移動する。
　同時に調整部３４は膨出部５１を強制的に外方に拡径し脚体部４３全体の外径を拡大する。
　これにより受部４０は穿設穴を内面より押圧し固定することになるが、嵌入板３５の存在により該嵌入板３５、３５が陥没部４２の底面でストツパー的作用を受けることになり押込みはこれによつて停止される。
　そして、円板状頭部３１とフランジ４１は表面上同一面を形成し完全に一体化することになる。」（明細書６頁１６行〜７頁８行参照）
等の記載が認められる。
　そして、上記〔う〕の「該フランジ４１の裏面より分枝して延出しヒンジ部４４、４４を介して変動自在の案内部４５を合致部４６により合体させることにより一体化した脚体部４３」、「脚体部４３の内体には……円孔４７が形成されている。」、上記〔か〕の「脚体部４３全体の外径を拡大する。」等の記載からみて、「脚体部４３」は「一体化した」状態の全体を指すものと認められ、「分枝して延出」する部分を「分割脚体部」と称すると、上記記載及び図面等の記載から、刊行物１には、次の発明が記載されていると認められる。
“フランジ４１に陥没部４２を穿設すると共に、このフランジ４１下面に脚体部４３を突設し、この脚体部４３の内体に上記陥没部４２と連通して円孔４７を形成すると共に、この円孔４７から脚体部４３外周面に至る略一文字状のスリットを形成して、該脚体部４３を、前記フランジ４１の裏面より分枝して延出する二つの分割脚体部に分割し、かつ各分割脚体部の内面に先端に向かうに従って漸次内方に傾斜するテーパー面を有する膨出部５１を突設し、更にこの二つの各分割脚体部が、前記膨出部５１突設位置より先端側に延出形成したそれぞれ独立の案内部４５を有すると共に、これら二つの案内部４５の先端側合致部４６を連結してなり、
被取付板に形成した穿設孔に上記脚体部４３を挿入し、上記円孔４７内にピン３０の嵌着体３２を上記陥没部４２から圧入して、該嵌着体３２で上記各分割脚体部の膨出部５１を外側に押圧し、各分割脚体部をそれぞれ外側に広げて脚体部４３の膨出部５１突設位置側を拡径させ、この脚体部４３で上記穿設孔を押圧して被取付板に固定するように構成した連結具”
　
　(2)刊行物２
　〔き〕「この考案は例えば自動車の車体パネルにトリムボードなど複数のワークを重合状態に、且つ取外し可能に固定するためのプラスチックで成形した雌部材と雄部材とからなるプラスチック製リベットに関する。」（明細書２頁２０行〜３頁４行参照）
　〔く〕「雌部材Ｆは円筒形の筒形胴部１と、該胴部１の上端外周から張出した鍔２を備え、該筒形胴部１には下端から円周方向に９０°の位相で上に切込んだ四つのスリット３によりここでは四つの拡張可能な切割り片４が形成してある。各切割り片４は夫々内面に内向きに突出した爪５を有し、又、前記鍔２は筒形胴部１の内周と同心の円形の窪み６を上面に備え、」（明細書８頁１５行〜９頁２行参照）
　〔け〕「雄部材Ｍは、前記雌部材の窪み６に没入する円盤状の頭部１１と、該頭部の下面中心部から垂下し、前記雌部材の筒形胴部１の内周を貫通し、その下端から下に突出することができる円形断面の軸部１２を一体に備えている。」（明細書９頁１１〜１５行参照）
　〔こ〕「軸部１２の下端部外周には、該軸部を雌部材の筒形胴部の内周に上から押し込んだとき、雌部材の各切割り片の内向きの爪５を収容する凹部１５を円周方向に四つ等間隔に設けてあり、この各凹部１５の上縁沿いに軸部の外周から少し突出した係止隆起１６が設けてある。」（明細書１０頁１〜７行参照）
　〔さ〕「雌部材の筒形胴部１の内周の半径は、雄部材の軸部にある係止隆起１６の曲率半径ないし上記円錐形先端部２０の大径な上端の半径に合わせてある。」（明細書１０頁１８行〜１１頁１行参照）
　〔し〕「使用するには、重ねて固定すべき複数枚のパネルＰ１、Ｐ２に雌部材の筒形胴部１の外径に適合した孔をあけてその孔を揃え、前記仮組立てした雌部材の鍔２の下面が最上層のパネルＰ１の上面に当接するまで筒形胴部１をその孔に上から差し込み、次いで、雄部材の頭部１１を押し下げる。
これにより雄部材の軸部１２は雌部材の筒形胴部１の内周を降下し、上記軸部の回りにあって雌部材の各切割り片４の内向きの爪５を入れていた凹部１５の円錐形斜面１９は該爪５を外向きに押し、各切割り片４を最下層のパネルＰ２の下で弾性に抗して花弁状に拡開する。こうして相対的に爪５の内端が円錐形斜面１９に乗り上げて外向き押されながら係止隆起１６を上に通り過ぎると、第３図に示すように、該隆起に引掛かって下に戻れなくなり、各切割り片４は外方に最大に拡開し、複数枚のパネルＰ１、Ｐ２を鍔２の下面に押付けて該パネルを積層状態に固定する。」（明細書１１頁１８行〜１２頁１５行参照）
等の記載があり、併せて図面を参照すると、刊行物２には、次の事項が記載されていると認められる。   
“雌部材Ｆの鍔２に窪み６を設けると共に、この鍔下面に筒形胴部１を突設し、この筒形胴部１の内孔を上記窪み６と連通すると共に、この筒形胴部１の内孔から筒形胴部外周面に至る９０°位相の４つのスリット３を形成して該筒形胴部１を四分割して４つの切割り片４を形成し、かつ各切割り片４の先端部に内向きの爪５を突設し、
パネルＰ１、Ｐ２に形成した孔に上記筒形胴部１を挿入し、上記内孔内に雄部材Ｍの軸部１２を上記窪み６から圧入して、該軸部１２で上記切割り片４の内向きの爪５を外側に押圧し、各切割り片４をそれぞれ外側に広げて筒形胴部１の先端側を拡径させ、この筒形胴部１で上記パネルＰ１、Ｐ２に形成した孔を押圧して上記パネルＰ１、Ｐ２に固定するように構成したプラスチック製リベット”
　
【三】対比・判断
　１．上記刊行物１に記載されたものも、フランジ４１に円孔４７を有する脚体部４３を突設したリベット状の本体にピン３０の嵌着体３２を圧入することにより、ピン３０の嵌着体３２で分割した前記脚体部４３を拡径し、この脚体部４３で取付孔を押圧して被取付板に固定する連結具であるから、「プッシュリベット」であり、本件出願の請求項１に係る発明と上記刊行物１に記載された発明とを対比すると、後者の「脚体部４３」及び「分割脚体部」のそれぞれにおけるフランジ４１下面からほぼ膨出部５１突設位置までの部分が、それぞれ前者の「脚部」及び「分割脚部」に相当し、同様に、後者の「フランジ４１」は前者の「フランジ部」に、「陥没部４２」は「ピン挿通孔」に、「円孔４７」は「ピン進入孔」に、「膨出部５１」は「膨出部」に、「被取付板」は「被固定物」に、「穿設孔」は「取付穴」に、「ピン３０」は「ピン」に、「嵌着体３２」は「軸部」に、「分割脚体部」の「膨出部５１突設位置側」は「分割脚部先端側」に、それぞれ相当する。そして、後者の各分割脚体部における「案内部４５」は、その先端の合致部４６で連結されているから「連結片」ということができる。
　したがって、両者は、
「フランジ部にピン挿通孔を穿設すると共に、このフランジ部下面に脚部を突設し、この脚部に上記ピン挿通孔と連通してピン進入孔を形成すると共に、このピン進入孔から脚部外周面に至るスリットを形成して該脚部を分割し、かつ各分割脚部の先端部内面に先端に向かうに従って漸次内方に傾斜するテーパー面を有する膨出部を突設し、更にこの各分割脚部先端よりそれぞれ独立した連結片を延出形成すると共に、これら連結片の先端部を連結してなり、
被固定物に形成した取付穴に上記脚部を挿入し、上記ピン進入孔内にピンの軸部を上記ピン挿通孔から圧入して、該軸部で上記各分割脚部の膨出部を外側に押圧し、各分割脚部をそれぞれ外側に広げて脚部の先端側を拡径させ、この脚部で上記取付穴を押圧して被固定物に固定するように構成したプッシュリベット」
で一致し、次の相違点で相違するものと認める。
［相違点］
　本件出願の請求項１に係る発明では、前記「スリット」は「略十字状」のスリットであって、前記「脚部」が「四分割」されて「４つ」の前記「分割脚部」が形成されると共に、各分割脚部先端よりそれぞれ独立して延出されて先端部が連結される前記「連結片」が「４つ」形成されるのに対して、上記刊行物１に記載されたものでは、前記「スリット」は「略十字状」でなく、前記「脚部」を「二分割」して「２つ」の分割脚部を形成するものであって、「連結片」も「２つ」である点
　
　２．次に上記相違点について検討する。
　上記刊行物２には【二】(2)に示したとおりの「プラスチック製リベット」が記載されており、この刊行物２に記載されたものも上記刊行物１に記載されたものと共通する技術分野のプッシュリベットに係るものであるから、上記刊行物２に記載されたプラスチック製リベットの構成を上記刊行物１に記載されたものに適用することは当業者が容易に想到し得ることである。
　そして、上記刊行物２に記載されたものにおける「筒形胴部１」が、上記刊行物１に記載されたものにおける「脚体部４３におけるフランジ４１下面からほぼ膨出部５１突設位置までの部分」即ち「脚部」に対応し、上記刊行物２に記載されたプッシュリベットは、フランジ部下面の脚部に形成したピン進入孔から脚部外周面に至る略十字状のスリットを形成して、該脚部を四分割し、分割脚部を４つとした構成を有するものと認められる。
　したがって、上記刊行物１に記載されたものにおいて、前記「スリット」を「略十字状」のスリットとして、前記「脚部」を「四分割」して「４つ」の分割脚部を形成すると共に、各分割脚部先端よりそれぞれ独立して延出形成されて先端部が連結される前記「連結片」も分割脚部の数に対応して「４つ」とすることは、上記刊行物２に記載された事項に基づいて当業者が容易に想到し得ることである。
　
　３．上記のとおり、本件出願の請求項１に係る発明は、その構成が上記刊行物１、２に記載された事項に基づいて当業者が容易に想到し得るものである。
　そして、上記刊行物１に記載されたものは、先端にものが当接して固定状態が解除されるようなことが、連結片（案内部）により妨げられるものと認められ、また、上記刊行物２に記載されたものは、脚部（筒形胴部）が四分割されていることによって負荷のかかる方向により固定力に差が生じるようなことがないものと認められるから、本件出願の請求項１に係る発明の作用効果は、上記刊行物１、２に記載されたものから予測し得る程度のものであって、格別顕著なものではない。
　
【四】むすび
　以上のとおりであるから、本件出願の請求項１に係る発明は、本件出願前に頒布された上記刊行物１及び２に記載された発明に基づいて、その出願前にその発明の属する技術の分野における通常の知識を有する者が容易に発明をすることができたものであり、特許法第２９条第２項の規定により特許を受けることができないから、本件出願の請求項２に係る発明について検討するまでもなく、本件出願は拒絶されるべきものである。
　よって、結論のとおり審決する。